(57)【特許請求の範囲】
【請求項１】
被検知ガスとの接触に基づき、電気的な出力を生じるガス検知素子を筐体内部に設け、前記出力を取出すガス検知回路を設けたガス検知装置であって、
前記筐体に表示手段を設けるとともに、電源投入時から前記被検知ガスを検知可能となるまでの間の初期出力の単位時間あたりの減少度を求め、その減少度に基づき前記表示手段の表示状態を決定する初期安定化度表示機構を設けたガス検知装置。
【発明の詳細な説明】
【０００１】
【発明の属する技術分野】
本発明は、ガス検知装置に関する。
【０００２】
【従来の技術】
従来、この種のガス検知装置として知られているものは、通常電源投入時からしばらくの間は、回路が安定せず正確なガス検知が出来ない時間帯があって、そのガス検知装置の利用を控えざるを得ないいわゆる初期安定化時間が発生するものとされている。これは、たとえば前記ガス検知素子が半導体式のものであるような場合に、前記ガス検知素子の抵抗が、その温度に依存する等の事情によるものであって、このような事情は各種各検知素子がそれぞれ有する特性として知られている。
そのために、この種のガス検知装置では、少なくとも一つの出力表示手段を設けて電源投入時から前記初期安定化時間経過後に、そのガス検知装置が利用可能であることを示すべく、出力表示手段の表示状態を切り替えることが行われている。
【０００３】
【発明が解決しようとする課題】
しかし、このような表示切り替えを行うとしても、前記初期安定化時間は、用いられているガス検知素子の種類や、その劣化度等に応じて大きく変化し、そのため、使用者は、その表示がいつ切り替わるかの予想が出来ないため、初期安定化の待ち時間が長く感じられるとともに、そのガス検知装置が故障しているかもしれないとの危惧を抱く場合が多い。このような状況は使用者にとって精神衛生上好ましくないため、待ち時間の残存時間を把握しやすくすることが望まれている。
ところが、電源投入時から画一的に待ち時間を設定すると、ガス検知素子が劣化して初期安定化時間が異常に長くなった場合であってもガス検知装置を使用してしまい、正確なガス検知が行えなくなるという問題点がある一方、これを避けるために、待ち時間を十分長く設定しておくと、ガス検知素子が新鮮で、初期安定化にほとんど時間を要しない状況であっても、長時間の待ち時間を無為に過ごさなければならなくなり、使用者の作業性を低下させる原因になることがある。また、前記初期安定化時間は、電源投入時の初期出力の変化に基づいて瞬時に予測することも困難であるため、初期安定化時間を待ち時間として正確に表示させることも困難であった。
さらに、前記ガス検知装置が実際に劣化して使用に耐えない状態になっていたような場合、初期安定化時間をいつまで待って故障と判断すればよいかの判断にも窮する場合がある。
【０００４】
従って、本発明の目的は、上記実状に鑑み、ガス検知装置の初期安定化を待つ待ち時間の残存時間を把握しやすいガス検知装置を提供する点にある。
【０００５】
【課題を解決するための手段】
この目的を達成するための本発明のガス検知装置の特徴構成は、
被検知ガスとの接触に基づき、電気的な出力を生じるガス検知素子を筐体内部に設け、前記出力を取出すガス検知回路を設けたガス検知装置であって、
前記筐体に表示手段を設けるとともに、電源投入時から前記被検知ガスを検知可能となるまでの間の初期出力の単位時間あたりの減少度を求め、その減少度に基づき前記表示手段の表示状態を決定する初期安定化度表示機構を設けた点にある。
【０００６】
〔作用効果〕
つまり、前記筐体に表示手段を設けてあるから、その表示手段の表示態様を変化させることによって、前記初期安定化時間の待ち時間を表現させることが可能となる。
そこで、電源投入時の初期出力の単位時間あたりの減少度を求め、その減少度に基づき前記表示手段の表示状態を決定すれば、前記安定化の推移が経時的に前記表示手段に表れることになり、このような表示を行う初期安定化度表示機構を設けることによって、電源投入時の初期出力の変化として視覚的に捉えることが出来るようになり、その安定化の状況の推移を観察することが出来る。従って、その推移を観察した使用者は、経験的に待ち時間の残存時間を把握しやすく、そのガス検知装置の故障等を危惧することなく、ゆとりをもって初期安定化時間を待つことが出来る。
また、前記初期安定化時間の待ち時間は、そのガス検知素子の初期出力を反映したものになるため、そのガス検知装置の使用者は、前記待ち時間に、その出力表示手段の変化を観察することによって、待ち時間を予測することが出来、それにより、前記ガス検知素子の劣化度合いを予測することも可能になり、使用に耐えないガス検知装置の取り扱いによる時間の浪費をも回避することが出来る。
【０００７】
【発明の実施の形態】
以下に本発明の実施の形態を図面に基づいて説明する。
本発明のガス検知装置は、図１に示すように、被検知ガスとの接触に基づき、電気的な出力を生じる半導体式のガス検知素子１を筐体２内部に設け、ブリッジ回路からなり前記出力を取出すガス検知回路３を設け、電源投入時の初期出力をモニタし、単位時間あたりの前記初期出力の減少度を求め、その減少度に基づき前記筐体２に設けてなる表示手段４の点灯状態を変化させる初期安定化度表示機構５を設けて構成してある。図中、前記表示手段４としては、ＬＥＤからなるバッテリランプ４１、出力ランプ４２、一列に設けられた５つのレベルランプ４３が示されている。
前記ガス検知回路は図２のように構成され、電源が投入されると、差動アンプ３１からの出力電圧をＡ／Ｄコンバータ３２を介して読みとる出力処理機構３３を備え、０Ｖ、＋Ｖという片電源で動作する。また、前記出力を前記出力処理機構３３からフィードバック補正するためのＤ／Ａコンバーター３４を設けてある。また、その出力処理機構３３で得られた出力は、電源投入初期には安定化度表示機構５を介して出力の経時的な変化が出力表示手段４に反映され、ガス検知を行う際には、警報判定機構６がガス濃度に応じて前記表示手段４に表示するとともに、必要に応じて警報機構７により警報音等を発生させる。
【０００８】
前記安定化表示機構５は以下のように働く。
半導体式のガス検知素子１の場合、ブリッジに電圧＋Ｖを掛けると、初期状態ではガス検知素子１自体の抵抗値が高いのでｂ、ａ点のブリッジ出力は、ａ点に対してｂ点は＋側に大きく振れ、ガス検知素子１が安定するとともに次第にａ点と同じ電位となる。
Ｄ／Ａコンバーターによる補正が０Ｖであればアンプ出力は図３の点線のようになり、センサが安定してブリッジが平衡すると、アンプ出力は０Ｖになる。ｂ点のブリッジ出力がａ点に対して−になると、アンプ出力は０Ｖ以下になるが、片電源で使用しているので−出力は出せない。しかし、実際にはｂ点のブリッジ出力がｂ点に対して＋になる場合があるので，ＶＡという０Ｖ以上の電圧を設定し、Ｄ／Ａコンバーター３４で＋電圧を補正して、ブリッジが安定した時にアンプ出力がＶＡになるようにする。
この場合のアンプ出力はＶＡを記入した図３中で実線のようになる。
図３の実線の電圧を、一定時間ΔＴ（例えば１秒）毎に測定し、１秒前との差ΔＶを計算し、ΔＶの値に従って、前記レベルランプ４３の表示個数を決定し、センサの安定の度合いを機器の使用者に知らせる。
前記レベルランプ４３の表示個数は、たとえば、
Ａ／Ｄコンバーターの読みで、ΔＶが１６デジット以上ならレベルランプ４３を５個すべて点灯する。ΔＶが８〜１５デジットならレベルランプ４３を下から４個点灯する。
ΔＶが５〜８デジットならレベルランプ４３を下から３個点灯する。ΔＶが３〜４デジット以下ならレベルランプ４３を下から２個点灯する。ΔＶが１〜２デジットならレベルランプ４３を下から１個点灯する。ΔＶが１デジット以下ならレベルランプ４３をすべて消灯し、安定化したことが判明するというように、出力の安定化に伴って順次消灯するように表示すれば、安定化の経時変化が視覚的に捉えられ、前記ガス検知装置が使用可能になったことを知ることが出来るとともに、前記レベルランプの点灯中にも前記ガス検知装置が使用可能になる時期が予想可能になる。
【０００９】
〔別実施形態〕
以下に別実施形態を説明する。
先の実施の形態では、半導体式のガス検知素子１を用いたが、これに限らず、接触燃焼式や、定電位電解式等種々の形式のガス検知素子に適用できる。
また、出力表示手段としてはＬＥＤランプ以外に液晶表示等も利用でき、点灯状態としても、初期安定化度を点灯表示ランプ数であらわすのに変えて、数字の表示でも良い。
【００１０】
さらに表示手段は種々の出力の表示機能を兼用させることが出来る。たとえば、初期安定化度出力の表示とガス警報出力の表示とを兼用化することが出来、このような場合初期安定化の待機中であるモードと、ガス検知を行うモードとを切り換えて、各モードに適した出力表示をさせればよい。
【図面の簡単な説明】
【図１】本発明のガス検知装置の概略図
【図２】ガス検知回路の概略図
【図３】ガス検知素子の初期出力の経時変化を示すグラフ
【符号の説明】
１  ガス検知素子
２  筐体
３  ガス検知回路
４  表示手段
５  初期安定化度表示機構
【図１】
0004434391.tif 000002
【図２】
0004434391.tif 000003
【図３】
0004434391.tif 000004